(57)【要約】【課題】フェースカバーの部品点数を最小限に抑え、座位のままで顔面から落下しないようにし、しかもフェースカバーを保持する手にカットされた頭髪がかからないようにすることである。【解決手段】１枚のプラスチックシートによって形成され、カバー本体１と、カバー本体１に連続して形成された２個所の取手部２、２を有する。カバー本体１は、被施術者の額上端に沿う上端辺３と、顔面の両側部に沿う両側辺４、４と、顔面の顎の周辺部に沿う下端辺５を有する。各取手部２は側辺４の下端点６に連続した外側辺８と下端辺５の一方の端点７に連続した内側辺９を有する帯状に形成され、両取手部２、２の先端部相互間に一定の距離Ｌが存在する。【選択図】図１
2013248365.tif 000002
【特許請求の範囲】
【請求項１】
１枚のプラスチックシートによって形成された理美容用フェースカバーにおいて、前記フェースカバーは、カバー本体１と、前記カバー本体１に連続して形成された２個所の取手部２、２を有し、前記カバー本体１は、被施術者の額上端に沿う上端辺３と、顔面の両側部に沿う両側辺４、４と、顎の周辺部に沿う下端辺５を有し、前記各取手部２は前記側辺４の下端点６に連続した外側辺８と下端辺５の一方の端点７に連続した内側辺９を有する帯状に形成され、前記両取手部２、２の先端部１５、１６相互間に一定の距離Ｌが存在することを特徴とする理美容用フェースカバー。
【請求項２】
前記下端辺５が、顔面の顎の周辺部に沿ってその中央部が下方に突き出した曲線状に形成されていることを特徴とする請求項１に記載の理美容用フェースカバー。
【請求項３】
前記各取手部５が、前記下端辺５に沿って緩やかに内方に湾曲していることを特徴とする請求項２に記載の理美容用フェースカバー。
【請求項４】
前記一方の取手部２の外側辺８に係合用のスリット１１が形成され、他方の取手部２の内側辺９に係合用のスリット１２が形成され、両方の取手部２、２を相互に引き寄せ前記スリット１１、１２相互を係合させる得ることを特徴とする請求項１から３のいずれかに記載の理美容用フェースカバー。
【発明の詳細な説明】
【技術分野】
【０００１】  この発明は、理容又は美容（以下、単に理美容という。）の分野において使用され、被施術者（いわゆる客）の顔面をカバーする用具、即ちフェースカバーに関するものである。頭髪カット時にカットされた頭髪が被施術者の顔面に付着したり、洗髪時にシャンプー液が被施術者の顔面に付着したりするのを防止するフェースカバーに関するものである。
【背景技術】
【０００２】  頭髪カット時にカットされた頭髪が施術者の顔面も付着するのを防止するフェースカバーについては、本発明者が被施術者としての長年の体験に基づいて発明したものが特許を得ている（特許文献１参照）。この特許製品は、顔面をカバーするためのカバーシートと、これを被施術者が保持するためのカバーシートの両側に連結固定された支持スティック（取手）の２部品からなるものである。【０００３】  理美容におけるシャンプーの際にシャンプー液の飛沫が被施術者の顔面に付着するのを防止するために、フィルム状のフェースカバーのみからなり、その中央部に鼻を差し込むための切目を設けたものが知られている（特許文献２）。
【先行技術文献】
【特許文献】
【０００４】
【特許文献１】特許第４３２８９０１号公報
【特許文献２】特開平１１−１７８６３７号公報
【発明の概要】
【発明が解決しようとする課題】
【０００５】  特許文献１の場合は、一応所期の目的を達成できるが、カバーシートと支持スティックの２部品からなる構成であること、支持スティックをカバーシートに取り付ける作業が必要であること、さらに支持スティックを樹脂成型等によって製作する必要があること等により、製作コストが高くつく問題がある。【０００６】  特許文献２の場合は、フィルム状の単体のフェースカバーに鼻のための切目を入れただけのものであるため、製作コストは十分低く抑えることができる。また、このフェースカバーは、被施術者が上を向いて横臥しながら行うシャンプー（いわゆる、バックシャンプー）の際に、その顔面に被せて使用されるものであるから、そのフェースカバーを手などで支持しなくても顔面から外れることは一応防止することができる。【０００７】  しかし、フィルム状のフェースカバー単体では、その厚さや柔軟性によっては額の生え際や、両耳前部にそのフェースカバーを密着させることが困難である。即ち、柔軟性が低いと顔面から離れてしまい、カバーと顔面の間にすき間が生じやすい。柔軟性が高いと顔面に密着し得るが、カバーを外す際に顔面の化粧が落ちるので、化粧のやり直しが必要となる。【０００８】  また、頭髪をカットする場合、被施術者は椅子に座った姿勢であるので、前記特許文献２のようなフィルム状のフェースカバー単体では顔面からずれ落ちることが避けられない。このため、特許文献１のような支持スティックを取り付ける必要がある。支持スティックを用いることなく直接フェースカバーを手で押さえるか又は把持することで一応落下は防げるが、その手にカットされた頭髪が付着する問題がある。【０００９】  そこで、この発明はフェースカバーを１枚のシートにより構成することにより部品点数を最小限に抑え、また座位のままでも顔面から落下しないようにカバー部に連続した取手部を設け、しかもその取手部を持つ手にカットされた頭髪がかからないようにし、必要に応じて洗髪時のシャンプー液除けとしても使用できる理美容用フェースカバーを提供することを課題とする。
【課題を解決するための手段】
【００１０】  前記の課題を解決するために、この発明に係る理美容用フェースカバーは、１枚の透明又は半透明のプラスチックシートによって形成された理美容用フェースカバーにおいて、前記フェースカバーは、カバー本体１と、前記カバー本体１に連続して形成された２個所の取手部２、２を有し、前記カバー本体１は、被施術者の額上端に沿う上端辺３と、顔面の両側部に沿う両側辺４、４と、顎の周辺部に沿う下端辺５を有し、前記両取手部２、２の先端部１４、１５の相互間に一定の距離Ｌが存在する構成としたものである（符号は添付の図面に示したものである。）【００１１】  これを頭髪のカットの際に使用する場合は、前記の距離Ｌがマイナスになるように、被施術者Ａが両方の取手２、２を引き寄せる。先端部１４、１５を相互に重ね、その重なり部１６を片手で保持し、カバー本体１の上端辺を顔面の額の生え際に沿って密着させる。このとき額に前髪が垂れている場合はその前髪の下に差し込む。カバー本体１の両側辺４、４は額の側面からコメカミ辺に接触する。取手２、２を保持した手は顎の前方にあり、カバー本体１は下端辺５が顔面から離れる形状に傾斜し息苦しさを生じさせない（図５参照）。【００１２】  カットされた前髪はカバー本体１の上面を滑り落ち、顔面や取手２を保持する手にカットされた頭髪が付着することはない。【００１３】  バックシャンプーを受ける場合は、被施術者は両手で各取手２を保持し、カバー本体１の上端辺３が額の生え際、各側辺４が顔面の側面部にフィットするように調整する。この状態でシャンプーが行われると、シャンプー液がカバー本体１の外側面にかかることはあっても顔面に付着することが防止される。
【発明の効果】
【００１４】  この発明に係る理美容用フェースカバーは、１枚のシートを所定の形状に切るか、打ち抜くかによって形成されるものであるから、他の部品が不要であり、組み立て工程も不要であるから、製作コストが低減される。【００１５】  頭髪カットの際は、両方の取手部をカバー本体の背面側へ引き寄せ先端部相互を重ね、その重なった部分を保持することにより、フェースカバーは顔面から落下することなく安定する。カットされた頭髪は顔面や、これを保持する手に付着することがない。【００１６】  洗髪の際は、左右の取手部を被施術者が保持することにより、カバー本体の上端辺や両側辺を自分の顔面にフィットするように操作することができ、カバー本体と顔面のすき間からシャンプー液が浸入する不都合を防止することができる。
【図面の簡単な説明】
【００１７】
【図１】フェースカバーの正面である。
【図２】取手部を引き寄せて重ねた状態の正面図である。
【図３】取手部を引き寄せて重ねた状態の背面図である。
【図４】取手部を引き寄せて重ねた状態の平面図である。
【図５】頭髪カット時の斜視図である。
【図６】バックシャンプー時の斜視図である。
【発明を実施するための形態】
【００１８】  図１は、この発明に係るフェースカバーの使用前の状態である。このフェースカバーは、透明又は半透明のある程度腰のあるプラスチックシート、例えば、厚さ０．２〜０．４ｍｍのＰＥ又はＰＰＥシートを打ち抜いて形成される。その基本構成は、図示のように、カバー本体１と、前記カバー本体１の両側部に連続して形成された２個所の取手部２、２から成るものである。
【００１９】  カバー本体１は、使用時において顔面の額上端に沿う上端辺３と、顔面の両側部に沿う両側辺４、４と、顔面の顎に沿う下端辺５を有する。上端辺３の両端は湾曲部３ａ、３ａを経てそれぞれ側辺４に連続する。各側辺４の下端点６は、下端辺５の両端点７、７と左右方向に一定の間隔をおいて対向する位置に定められる。下端辺５は、顔面の顎に沿ってその中央部が下方に突き出す曲線状に形成される。
【００２０】  各取手部２は、側辺４の下端点６に連続した外側辺８と、下端辺５の一方の端点７に連続した内側辺９を有する所要長さの帯状に形成され、緩やかに下端辺５の下方に湾曲している。その先端部相互の間に一定の距離Ｌがある。下端点６と端点７を結ぶ線（鎖線参照）が各取手部２の上端部１０となり、各取手部２はその上端部１０においてカバー本体１に連続する。取手部２は、大よそその上端部１０を基点としてカバー本体１の背面側へ曲げられる。
【００２１】  前記一方の取手部２（図１の左側の取手部２）の外側辺８に係合用のスリット１１が形成され、他方の取手部２の内側辺９に係合用のスリット１２が形成される。これらのスリット１１、１２はそれぞれ外側辺８及び内側辺９に対して直角に、かつ取手部２の幅の半分程度の長さの切り込みによって形成される。各スリット１１、１２の終端には切り裂き防止のための丸孔１３が設けられる。
【００２２】  両方の取手部２、２を、前記距離Ｌがマイナスになるようにカバー本体１の背面側へ引き寄せると、各取手部２は前記の上端部１０を大よその基点として背面側へ軽く屈曲する。先端部１４、１５を重ね、各スリット１１、１２相互を係合させると、図３及び図４に示したように、各先端部１４、１５はスリット１１、１２の部分から相手取手部２の下面に沿い、重なり部１６が形成される。被施術者はスリット１１、１２の係合部分及びその近辺の重なり部１６を指先で保持することになる（図５参照）。
【００２３】  スリット１１、１２を前記のように係合させることにより、取手部２、２はカバー本体１の背面側において相互に連結状態に維持され、同時にカバー本体１は背面側へ緩やかに湾曲した状態に維持される。
【００２４】  なお、スリット１１、１２を省略して、引き寄せた取手部２、２の先端部１４、１５相互の重なり部分を被施術者が指先で保持するだけでも、カバー本体１の湾曲状態を維持することができる。
【００２５】  次に、女性の頭髪カットの際における前記フェースカバーの使用方法について説明する。頭髪カットの施術を受けるに際して、フェースカバーを手渡された被施術者は、両方の取手部２、２の先端部１４、１５をカバー本端１の背面側へ引き寄せ、スリット１１、１２相互を係合させる（図２から図４参照）。このとき、カバー本体１は背面側へ緩やかに湾曲する（図４参照）。
【００２６】  図５に示したように、スリット１１、１２の係合部及びその近辺の重なり部１６を一方の手で保持し、カバー本体１の上端辺３を前髪の下から額部に差し込み、生え際に添わせる。両側辺の上端部は額の側部からコメカミ辺に沿う。カバー本体１は鼻に接触しない程度に傾斜状態となって次第に顔面から離れる。カバー本体２の背面において顎の前方下部に取手部２の重なり部１６が存在し、被施術者Ａはスリット１１、１２の係合部及びその近辺の重なり部１６を片手の指先で保持する。
【００２７】  前記の状態で前髪のカットが行われると、カットされた前髪はカバー本体１の上面を滑り落ち、顔面に付着することが避けられる。また、これを保持する被施術者Ａの手は、カバー本体１の背後にあるので、その手にカットされた頭髪がかかることも避けられる。
【００２８】  前髪のカットに際しては、被施術者Ａの好みのカット位置があり、その位置を施術者Ａに確かめる必要がある。こ場合、カバー本体１は透明であるので、施術者が示す鏡に映るカット位置をカバー本体１を透して見ることができ、被施術者Ａは適宜な注文を付けることができる。
【００２９】  以上は、頭髪カットに使用する場合について説明したが、この発明に係るフェースカバーはバックシャンプー時にも使用することができる。この場合は、図６に示したように、取手部２、２を引き寄せることなく、これをカバー本体１に添わせた状態で被施術者Ａがそれぞれ両手で把持し、カバー本体１の両側部を左右から押さえて顔面に沿うよう湾曲させ、その上端辺３を額の生え際に添って密着させる。
【００３０】  また、カバー本体１の両側辺３、３側をコメカミから耳前部に至る顔面の側部に密着させる。これらの密着具合は被施術者Ａが両取手部２、２を操作することにより適宜調整することができる。また、カバー本体１は鼻より若干離れたる高さに保持するように調整する。
【００３１】  このように調整して顔面にフィットさせた状態に保持することにより、シャンプー液が上端辺３や、湾曲３ａ及び両側辺４から顔面上に浸入することが防止され、また顔面の化粧を乱すこと避けられる。
【符号の説明】
【００３２】Ａ  被施術者
１  カバー本体
２  取手部
３  上端辺
３ａ  湾曲部
４  側辺
５  下端辺
６  下端点
７  端点
８  外側辺
９  内側辺
１０  上端部
１１  スリット
１２  スリット
１３  丸
１４  先端部
１５  先端部
１６  重なり部
【図１】
2013248365.tif 000003
【図２】
2013248365.tif 000004
【図３】
2013248365.tif 000005
【図４】
2013248365.tif 000006
【図５】
2013248365.tif 000007
【図６】
2013248365.tif 000008